(57)【特許請求の範囲】
【請求項１】
無線送受信ユニット（ＷＴＲＵ）によって実行される方法であって、
前記ＷＴＲＵによって、拡張高速媒体アクセス制御（ＭＡＣ−ｅｈｓ）プロトコルデータユニット（ＰＤＵ）を、高速ダウンリンク共有チャネル（ＨＳ−ＤＳＣＨ）を介して受信するステップと、
前記ＷＴＲＵによって、ＭＡＣ−ｅｈｓにおいて、前記ＭＡＣ−ｅｈｓ  ＰＤＵを分解して、並べ替えＰＤＵを提供するステップであって、各並べ替えＰＤＵは、ＭＡＣ−ｅｈｓサービスデータユニット（ＳＤＵ）または前記ＭＡＣ−ｅｈｓ  ＳＤＵのセグメントを含む、ステップと、
前記ＷＴＲＵによって、前記ＭＡＣ−ｅｈｓにおいて、少なくとも１つの送信シーケンス番号（ＴＳＮ）および関連付けられた待ち行列に基づいて、前記並べ替えＰＤＵを編成するステップと、
前記ＷＴＲＵによって、前記ＭＡＣ−ｅｈｓにおいて、前記並べ替えＰＤＵの少なくとも１つからの前記ＭＡＣ−ｅｈｓ  ＳＤＵのセグメントからの前記ＭＡＣ−ｅｈｓ  ＳＤＵを再組み立てするステップと、
前記再組み立てされたＭＡＣ−ｅｈｓ  ＳＤＵを、複数の論理チャネルのうちの論理チャネルにルーティングするステップと
を備えたことを特徴とする方法。
【請求項２】
前記ＭＡＣ−ｅｈｓ  ＰＤＵを前記受信することは、ハイブリッド自動再送要求（ＨＡＲＱ）によって実行されることを特徴とする請求項１に記載の方法。
【請求項３】
前記分解することは、分解エンティティによって実行されることを特徴とする請求項１に記載の方法。
【請求項４】
前記編成することは、並べ替え待ち行列分配機能または並べ替え待ち行列によって実行されることを特徴とする請求項１に記載の方法。
【請求項５】
前記再組み立てすることは、再組み立てエンティティによって実行されることを特徴とする請求項１に記載の方法。
【請求項６】
前記再組み立てすることは、セグメント化されたＭＡＣ−ｅｈｓ  ＳＤＵを、並べ替えＰＤＵごとに異なるＭＡＣ−ｅｈｓ  ＳＤＵに再組み立てすることを特徴とする請求項１に記載の方法。
【請求項７】
前記並べ替えＰＤＵは各々、完全なＭＡＣ−ｅｈｓ  ＳＤＵ、および、ＭＡＣ−ｅｈｓ  ＳＤＵのセグメントを備えていることを特徴とする請求項１に記載の方法。
【請求項８】
無線送受信ユニット（ＷＴＲＵ）によって実行される方法であって、
前記ＷＴＲＵによって、拡張高速媒体アクセス制御（ＭＡＣ−ｅｈｓ）プロトコルデータユニット（ＰＤＵ）を、高速ダウンリンク共有チャネル（ＨＳ−ＤＳＣＨ）を介して受信するステップと、
前記ＷＴＲＵによって、ＭＡＣ−ｅｈｓにおいて、前記ＭＡＣ−ｅｈｓ  ＰＤＵを分解して、並べ替えＰＤＵを提供するステップであって、各並べ替えＰＤＵは、ＭＡＣ−ｅｈｓサービスデータユニット（ＳＤＵ）または前記ＭＡＣ−ｅｈｓ  ＳＤＵのセグメントを含む、ステップと、
前記ＷＴＲＵによって、前記ＭＡＣ−ｅｈｓにおいて、少なくとも１つの送信シーケンス番号（ＴＳＮ）および関連付けられた待ち行列に基づいて、前記並べ替えＰＤＵを編成するステップと、
前記ＷＴＲＵによって、前記ＭＡＣ−ｅｈｓにおいて、前記並べ替えＰＤＵの少なくとも１つからの前記ＭＡＣ−ｅｈｓ  ＳＤＵのセグメントからの前記ＭＡＣ−ｅｈｓ  ＳＤＵを再組み立てするステップと、
前記再組み立てされたＭＡＣ−ｅｈｓ  ＳＤＵを、複数の論理チャネルのうちの論理チャネルにルーティングすることによって、逆多重化するステップと
を備えたことを特徴とする方法。
【請求項９】
前記ＭＡＣ−ｅｈｓ  ＰＤＵを前記受信することは、ハイブリッド自動再送要求（ＨＡＲＱ）によって実行されることを特徴とする請求項８に記載の方法。
【請求項１０】
前記分解することは、分解エンティティによって実行されることを特徴とする請求項８に記載の方法。
【請求項１１】
前記編成することは、並べ替え待ち行列分配機能または並べ替え待ち行列によって実行されることを特徴とする請求項８に記載の方法。
【請求項１２】
前記再組み立てすることは、再組み立てエンティティによって実行されることを特徴とする請求項８に記載の方法。
【請求項１３】
前記再組み立てすることは、セグメント化されたＭＡＣ−ｅｈｓ  ＳＤＵを、並べ替えＰＤＵごとに異なるＭＡＣ−ｅｈｓ  ＳＤＵに再組み立てすることを特徴とする請求項８に記載の方法。
【請求項１４】
前記並べ替えＰＤＵは各々、完全なＭＡＣ−ｅｈｓ  ＳＤＵ、または、ＭＡＣ−ｅｈｓ  ＳＤＵのセグメントを含むことを特徴とする請求項８に記載の方法。
【請求項１５】
拡張高速媒体アクセス制御（ＭＡＣ−ｅｈｓ）プロトコルデータユニット（ＰＤＵ）を、高速ダウンリンク共有チャネル（ＨＳ−ＤＳＣＨ）を介して受信するように構成された送受信機と、
ＭＡＣ−ｅｈｓにおいて、前記ＭＡＣ−ｅｈｓ  ＰＤＵを分解して、並べ替えＰＤＵを提供するように構成された少なくとも１つのプロセッサであって、各並び替えＰＤＵは、ＭＡＣ−ｅｈｓサービスデータユニット（ＳＤＵ）または前記ＭＡＣ−ｅｈｓ  ＳＤＵのセグメントを含む、少なくとも１つのプロセッサと
を備え、
前記少なくとも１つのプロセッサは、前記ＭＡＣ−ｅｈｓにおいて、少なくとも１つの送信シーケンス番号（ＴＳＮ）および関連付けられた待ち行列に基づいて、前記並べ替えＰＤＵを編成するように構成され、
前記少なくとも１つのプロセッサは、前記ＭＡＣ−ｅｈｓにおいて、前記並べ替えＰＤＵの少なくとも１つからの前記ＭＡＣ−ｅｈｓ  ＳＤＵのセグメントからの前記ＭＡＣ−ｅｈｓ  ＳＤＵを再組み立てするように構成され、ならびに、
前記少なくとも１つのプロセッサは、前記再組み立てされたＭＡＣ−ｅｈｓ  ＳＤＵを、複数の論理チャネルのうちの論理チャネルにルーティングするように構成されている
ことを特徴とする無線送受信ユニット（ＷＴＲＵ）。
【請求項１６】
前記ＭＡＣ−ｅｈｓ  ＰＤＵの前記受信は、ハイブリッド自動再送要求（ＨＡＲＱ）によって実行されることを特徴とする請求項１５に記載のＷＴＲＵ。
【請求項１７】
前記分解は、分解エンティティによって実行されることを特徴とする請求項１５に記載のＷＴＲＵ。
【請求項１８】
前記編成は、並べ替え待ち行列分配機能または並べ替え待ち行列によって実行されることを特徴とする請求項１５に記載のＷＴＲＵ。
【請求項１９】
前記再組み立ては、再組み立てエンティティによって実行されることを特徴とする請求項１５に記載のＷＴＲＵ。
【請求項２０】
前記少なくとも１つのプロセッサは、セグメント化されたＭＡＣ−ｅｈｓ  ＳＤＵを、各並べ替えＰＤＵに対する前記ＭＡＣ−ｅｈｓ  ＳＤＵに再組み立てするようにさらに構成されていることを特徴とする請求項１５に記載のＷＴＲＵ。
【請求項２１】
前記並べ替えＰＤＵは各々、完全なＭＡＣ−ｅｈｓ  ＳＤＵ、および、ＭＡＣ−ｅｈｓ  ＳＤＵのセグメントを含むことを特徴とする請求項１５に記載のＷＴＲＵ。
【請求項２２】
拡張高速媒体アクセス制御（ＭＡＣ−ｅｈｓ）プロトコルデータユニット（ＰＤＵ）を、高速ダウンリンク共有チャネル（ＨＳ−ＤＳＣＨ）を介して受信するように構成された送受信機と、
ＭＡＣ−ｅｈｓにおいて、前記ＭＡＣ−ｅｈｓ  ＰＤＵを分解して、並べ替えＰＤＵを提供するように構成された少なくとも１つのプロセッサであって、各並べ替えＰＤＵは、ＭＡＣ−ｅｈｓサービスデータユニット（ＳＤＵ）または前記ＭＡＣ−ｅｈｓ  ＳＤＵのセグメントを含む、少なくとも１つのプロセッサと、
を備え、
前記少なくとも１つのプロセッサは、前記ＭＡＣ−ｅｈｓにおいて、少なくとも１つの送信シーケンス番号（ＴＳＮ）および関連付けられた待ち行列に基づいて、前記並べ替えＰＤＵを編成するように構成され、
前記少なくとも１つのプロセッサは、前記ＭＡＣ−ｅｈｓにおいて、前記並べ替えＰＤＵの少なくとも１つからの前記ＭＡＣ−ｅｈｓ  ＳＤＵのセグメントからの前記ＭＡＣ−ｅｈｓ  ＳＤＵを再組み立てするように構成され、ならびに、
前記少なくとも１つのプロセッサは、前記再組み立てされたＭＡＣ−ｅｈｓ  ＳＤＵを、複数の論理チャネルのうちの論理チャネルに逆多重化するように構成されている
を備えたことを特徴とする無線送受信ユニット（ＷＴＲＵ）。
【請求項２３】
前記ＭＡＣ−ｅｈｓ  ＰＤＵの前記受信は、ハイブリッド自動再送要求（ＨＡＲＱ）によって実行されることを特徴とする請求項２２に記載のＷＴＲＵ。
【請求項２４】
前記分解は、分解エンティティによって実行されることを特徴とする請求項２２に記載のＷＴＲＵ。
【請求項２５】
前記編成は、並べ替え待ち行列分配機能または並べ替え待ち行列によって実行されることを特徴とする請求項２２に記載のＷＴＲＵ。
【請求項２６】
前記再組み立ては、再組み立てエンティティによって実行されることを特徴とする請求項２２に記載のＷＴＲＵ。
【請求項２７】
前記少なくとも１つのプロセッサは、セグメント化されたＭＡＣ−ｅｈｓ  ＳＤＵを、各並べ替えＰＤＵに対する前記ＭＡＣ−ｅｈｓ  ＳＤＵに再組み立てするようにさらに構成されていることを特徴とする請求項２２に記載のＷＴＲＵ。
【請求項２８】
前記並べ替えＰＤＵは各々、完全なＭＡＣ−ｅｈｓ  ＳＤＵ、または、ＭＡＣ−ｅｈｓ  ＳＤＵのセグメントを含むことを特徴とする請求項２２に記載のＷＴＲＵ。
【発明の詳細な説明】
【技術分野】
【０００１】
本発明は無線通信に関する。
【背景技術】
【０００２】
ＨＳＰＡ（Ｈｉｇｈ  Ｓｐｅｅｄ  Ｐａｃｋｅｔ  Ａｃｃｅｓｓ：高速パケット・アクセス）の発展型は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ：高速ダウンリンクパケット・アクセス）およびＨＳＵＰＡ（Ｈｉｇｈ  Ｓｐｅｅｄ  Ｕｐｌｉｎｋ  Ｐａｃｋｅｔ  Ａｃｃｅｓｓ：高速アップリンクパケット・アクセス）の３ＧＰＰ（３ｒｄ  Ｇｅｎｅｒａｔｉｏｎ  Ｐａｒｔｎｅｒｓｈｉｐ  Ｐｒｏｊｅｃｔ：第三世代パートナーシップ・プロジェクト）無線アクセス技術の発展型を意味する。ＨＳＰＡ発展型の主要な目標のいくつかには、より高いデータ速度、より大きなシステム容量および適用範囲、パケット・サービスに対する拡張された支援、待機時間の削減、事業者コストの削減、ならびに下位互換性（ｂａｃｋｗａｒｄ  ｃｏｍｐａｔｉｂｉｌｉｔｙ）が含まれる。
【０００３】
ＭＡＣ−ｅｈｓ（ｅｎｈａｎｃｅｄ  ｈｉｇｈ  ｓｐｅｅｄ  Ｍｅｄｉｕｍ  Ａｃｃｅｓｓ  Ｃｏｎｔｒｏｌ：拡張高速媒体アクセス制御）エンティティは、自在な大きさのＲＬＣ（Ｒａｄｉｏ  Ｌｉｎｋ  Ｃｏｎｔｒｏｌ：無線リンク制御）ＰＤＵ（Ｐｒｏｔｏｃｏｌ  Ｄａｔａ  Ｕｎｉｔ：プロトコル・データ・ユニット）を受信することができることに加えて、種々の優先度待ち行列からの分割および多重化のための機能を含むように拡げることが同意されている。新規のＭＡＣ−ｈｓ機能性を追加するためには、従来のＭＡＣ−ｈｓアーキテクチャへの修正を必要とする。
【０００４】
図１は、ＨＳＰＡ発展型に対して提案されたＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）側ＭＡＣ−ｅｈｓエンティティ１００を示す。提案されたＭＡＣ−ｅｈｓアーキテクチャにおいては、分割（ｓｅｇｍｅｎｔａｔｉｏｎ）は分割エンティティ１１２により論理チャンネル単位にて実行される。分割されたＭＡＣ−ｅｈｓのＳＤＵ（Ｓｅｒｖｉｃｅ  Ｄａｔａ  Ｕｎｉｔ：サービス・データ・ユニット）は次に、ＬＣＨ−ＩＤ（Ｌｏｇｉｃａｌ  ＣＨａｎｎｅｌ  ＩＤｅｎｔｉｔｙ：論理チャンネル識別子）に基づき、論理チャンネル識別子多重化（ｍｕｌｔｉｐｌｅｘｉｎｇ）エンティティ１１４により多重化され、そして構成された優先度待ち行列１１６中にバッファリングされる。次に優先度待ち行列１１６中に格納されたＭＡＣ−ｅｈｓ  ＳＤＵから、ＭＡＣ−ｅｈｓ  ＰＤＵ（Ｐｒｏｔｏｃｏｌ  Ｄａｔａ  Ｕｎｉｔ：プロトコル・データ・ユニット）が生成され、そしてＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）エンティティ１２０を介して送信される。
【０００５】
図２は、ＨＳＰＡ発展型に対して提案されたＵＥ（Ｕｓｅｒ  Ｅｑｕｉｐｍｅｎｔ：ユーザー機器）側ＭＡＣ−ｅｈｓエンティティ２００を示す。ＨＡＲＱエンティティ２０２を介して受信されたＭＡＣ−ｅｈｓ  ＰＤＵは、分解（ｄｉｓａｓｓｅｍｂｌｙ）エンティティ２０４により並べ替え（ｒｅｏｒｄｅｒｉｎｇ）ＰＤＵに分解される。並べ替えＰＤＵは、受信された論理チャンネル識別子に基づき、並べ替え待ち行列分配（ｄｉｓｔｒｉｂｕｔｉｏｎ）エンティティ２０６によって並べ替え待ち行列２０８に分配される。並べ替えＰＤＵは、ＴＳＮ（Ｔｒａｎｓｍｉｓｓｉｏｎ  Ｓｅｑｕｅｎｃｅ  Ｎｕｍｂｅｒ：送信シーケンス番号）に従って再編成される。連続したＴＳＮを持つ並べ替えＰＤＵは受信されると、より上位層に配送される。連続していないデータ・ブロックの上位層への配送は、タイマー機構が決定する。それぞれの優先度クラスに対して１つの並べ替えエンティティ２０８がある。ＬＣＨ−ＩＤ分離化（ｄｅｍｕｌｔｉｐｌｅｘｉｎｇ）エンティティ２１０は、並べ替えられた並べ替えＰＤＵを、論理チャンネル識別子に基づき再組み立て（ｒｅａｓｓｅｍｂｌｙ）エンティティ２１２に送る。再組み立てエンティティ２１２は、分割されたＭＡＣ−ｅｈｓ  ＳＤＵを元のＭＡＣ−ｅｈｓ  ＳＤＵに再組み立てし、そしてそのＭＡＣ−ｅｈｓ  ＳＤＵを上位層に転送する。
【０００６】
ＵＴＲＡＮ側に対する提案されたＭＡＣ−ｅｈｓエンティティ１００は、論理チャンネル単位にて分割を実行する。しかしながらパケットは即時には送信されないため、ＭＡＣ−ｄ  ＰＤＵの分割をそのレベルにて実行するべきでない。多重化された並べ替えＰＤＵは、優先度待ち行列１１６中にバッファリングされ、そして後送出される。正確なチャンネル状態を知る前のＭＡＣ−ｅｈｓ  ＳＤＵの分割は非効率的である。パケットが送信される時間区間に先立って分割を実行するべきでない。ＭＡＣ−ｅｈｓ  ＰＤＵが作成され、そしてそのＴＴＩ（Ｔｒａｎｓｍｉｓｓｉｏｎ  Ｔｉｍｅ  Ｉｎｔｅｒｖａｌ：送信時間間隔）に対するＴＢ（Ｔｒａｎｓｐｏｒｔ  Ｂｌｏｃｋ：トランスポート・ブロック）の大きさが分かったときに、分割が実行されることが望ましいであろう。さらに、ＭＡＣ−ｅｈｓ  ＳＤＵが送出される直前にＭＡＣ−ｅｈｓ  ＳＤＵを分割するべくＵＴＲＡＮが更新されたなら、ＷＴＲＵもまたそれに従って更新されねばならない。
【発明の概要】
【発明が解決しようとする課題】
【０００７】
図２において提案されたＭＡＣ−ｅｈｓエンティティ２００において、ＬＣＨ−ＩＤ分離化エンティティ２１０は、論理チャンネル識別子に基づき、ＭＡＣ−ｅｈｓセグメントを再組み立てエンティティ２１２に送る。これは、同一の待ち行列の中に種々の論理チャンネルに対する再組み立てエンティティを必要とする。さらに、ＭＡＣ−ｅｈｓヘッダーが最適化されると、ＳＩ（Ｓｙｓｔｅｍ  Ｉｎｆｏｒｍａｔｉｏｎ：システム情報）フィールドがすべての論理チャンネルに対して存在するというわけではないことになり、それは優先度待ち行列に対してのみ存在することになるであろう。
【課題を解決するための手段】
【０００８】
ＭＡＣ−ｅｈｓ  ＰＤＵを生成させ、かつ処理するための方法および装置が開示される。ノードＢにおいて、上位層から受信されたＭＡＣ−ｅｈｓ  ＳＤＵは、論理チャンネルの識別子に基づき多重化される。優先度待ち行列に対応付けられた種々の論理チャンネルからの多重化されたＭＡＣ−ｅｈｓ  ＳＤＵから、並べ替えＰＤＵが生成される。並べ替えＰＤＵは、少なくとも１つのＭＡＣ−ｅｈｓ  ＳＤＵおよび／または少なくとも１つのＭＡＣ−ｅｈｓ  ＳＤＵセグメントを含む。ＭＡＣ−ｅｈｓ  ＳＤＵが並べ替えＰＤＵに収まらないなら、ＭＡＣ−ｅｈｓ  ＳＤＵは優先度クラスに基づき分割される。ＭＡＣ−ｅｈｓ  ＰＤＵは、少なくとも１つの並べ替えＰＤＵを含んで生成される。多重化されたＭＡＣ−ｅｈｓ  ＳＤＵは、並べ替えＰＤＵを生成する前に、対応する優先度待ち行列中に格納される場合がある。あるいは並べ替えＰＤＵが、多重化されたＭＡＣ−ｅｈｓ  ＳＤＵから生成される場合があり、そして並べ替えＰＤＵが対応する優先度待ち行列中に格納される場合がある。あるいは、受信されたＭＡＣ−ｅｈｓ  ＳＤＵが、論理チャンネル識別子に基づき多重化されるか、または並べ替えＰＤＵが生成される前に、それぞれの論理チャンネルに対する対応するバッファ中にバッファリングされる場合がある。
【０００９】
例として与えられ、そして添付された図面に関連して理解されるべき以下の記述から、より詳細な理解を得ることができる。
【図面の簡単な説明】
【００１０】
【図１】ＨＳＰＡ発展型に対して提案されたＵＴＲＡＮ側ＭＡＣ−ｅｈｓエンティティを示す図である。
【図２】ＨＳＰＡ発展型に対して提案されたＵＥ側ＭＡＣ−ｅｈｓエンティティを示す図である。
【図３】一実施形態によるＵＴＲＡＮ側ＭＡＣ−ｅｈｓエンティティを示す図である。
【図４】一実施形態によるＵＴＲＡＮ側ＭＡＣ−ｅｈｓエンティティを示す図である。
【図５】別の実施形態によるＵＴＲＡＮ側ＭＡＣ−ｅｈｓエンティティを示す図である。
【図６】別の実施形態によるＵＴＲＡＮ側ＭＡＣ−ｅｈｓエンティティを示す図である。
【図７】別の実施形態によるＵＴＲＡＮ側ＭＡＣ−ｅｈｓエンティティを示す図である。
【図８】別の実施形態によるＵＴＲＡＮ側ＭＡＣ−ｅｈｓエンティティを示す図である。
【図９】別の実施形態によるＵＴＲＡＮ側ＭＡＣ−ｅｈｓエンティティを示す図である。
【図１０】一実施形態によるＷＴＲＵ側ＭＡＣ−ｅｈｓエンティティを示す図である。
【発明を実施するための形態】
【００１１】
これ以後参照される用語「ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）」は、限定はしないが、ＵＥ、移動端末、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の如何なる種別のユーザー・デバイスをも含む。これ以後参照される用語「ノードＢ（Ｎｏｄｅ−Ｂ）」は、限定はしないが、基地局（ｂａｓｅ  ｓｔａｔｉｏｎ）、サイト制御装置、ＡＰ（Ａｃｃｅｓｓ  Ｐｏｉｎｔ：アクセス・ポイント）、または無線環境において動作する能力のある他の如何なる種別のインターフェイス・デバイスをも含む。
【００１２】
用語「ＭＡＣ−ｅｈｓペイロード・ユニット」または「ペイロード・ユニット」は、ＭＡＣ−ｅｈｓ  ＰＤＵのペイロードとして挿入されるＭＡＣ−ｅｈｓ  ＳＤＵまたはＭＡＣ−ｅｈｓ  ＳＤＵセグメントを意味することになる。用語「ＭＡＣ−ｄフロー」および「論理チャンネル」は互換的に使用され、そして片方の表現の使用が他方を排除することはない。用語「並べ替え（ｒｅｏｒｄｅｒｉｎｇ）ＰＤＵ」はＭＡＣ−ｅｈｓ  ＰＤＵの１つのユニットを意味する。ＭＡＣ−ｅｈｓ  ＰＤＵは、１つまたは複数の並べ替えＰＤＵを含む場合がある。並べ替えＰＤＵは、１つまたは複数のペイロード・ユニットを含む場合がある。ＭＡＣ−ｅｈｓ  ＳＤＵは、ＭＡＣ−ｄ  ＰＤＵ、ＭＡＣ−ｃ／ｓｈ／ｍ  ＰＤＵ、または同様のものである場合がある。
【００１３】
図３は、一実施形態によるＵＴＲＡＮ側ＭＡＣ−ｅｈｓエンティティ３００を示す。ＭＡＣ−ｅｈｓエンティティ３００は、スケジューリングおよび優先度取り扱いエンティティ３１０、ＨＡＲＱエンティティ３２０、ならびにＴＦＲＣ（Ｔｒａｎｓｐｏｒｔ  Ｆｏｒｍａｔ  ａｎｄ  Ｒｅｓｏｕｒｃｅ  Ｃｏｍｂｉｎａｔｉｏｎ：トランスポートフォーマット・リソースコンビネーション）選択エンティティ３３０を含む。スケジューリングおよび優先度取り扱いエンティティ３１０は、ＬＣＨ−ＩＤ多重化エンティティ３１２、優先度待ち行列３１４、分割エンティティ３１６、および優先度待ち行列多重化エンティティ３１８を含む。スケジューリングおよび優先度取り扱いエンティティ３１０は、データ・フローに対するＨＳ−ＤＳＣＨリソースをそれらの優先度クラスに従って管理する。ＨＡＲＱエンティティ３２０は、停止および待機のＨＡＲＱプロトコルの複数のインスタンスを支援（ＨＡＲＱ処理）するためのＨＡＲＱ機能性を取り扱う。ＴＦＲＣ選択エンティティ３３０は、ＴＦＲＣを選択する。
【００１４】
ＭＡＣ−ｅｈｓエンティティ３００は、上位層（例えば、ＭＡＣ−ｄまたはＭＡＣ−ｃエンティティ（示されない））からＭＡＣ−ｅｈｓ  ＳＤＵを受信する。ＬＣＨ−ＩＤ多重化エンティティ３１２は、スケジューリング決定およびＴＦＲＣ選択エンティティ３３０によって選択されたＴＦＲＣに基づき、複数の論理チャンネルからのＭＡＣ−ｅｈｓ  ＳＤＵを多重化する場合がある。ＴＦＲＣ選択エンティティ３３０は、スケジューリングおよび優先度取り扱いエンティティ３１０に、ＭＡＣ−ｅｈｓ  ＰＤＵの大きさを示し、従って、それぞれの待ち行列からＴＴＩ毎に送信されるべき並べ替えＰＤＵに送信されるデータの大きさを示す。多重化されたＭＡＣ−ｅｈｓ  ＳＤＵは、優先度待ち行列３１４中に格納される。
【００１５】
分割エンティティ３１６は、ＭＡＣ−ｅｈｓ  ＳＤＵを優先度待ち行列単位にて分割することができる。分割エンティティ３１６は、ＭＡＣ−ｅｈｓ  ＳＤＵが並べ替えＰＤＵに収まらないなら、ＭＡＣ−ｅｈｓ  ＳＤＵを分割する。例えば、並べ替えＰＤＵ中に含まれるべきＭＡＣ−ｅｈｓ  ＳＤＵが並べ替えＰＤＵの大きさより大きいか、またはペイロード・ユニットの合計が選択された並べ替えＰＤＵの大きさを超えることをそれがもたらすなら、分割エンティティ３１６は、ＭＡＣ−ｅｈｓ  ＳＤＵを分割する。この場合、並べ替えＰＤＵは、ＭＡＣ−ｅｈｓ  ＳＤＵの１つのセグメントのみを含む。分割後のＭＡＣ−ｅｈｓ  ＳＤＵの残存セグメントは、分割エンティティ中に格納され、そして残存セグメントが次の並べ替えＰＤＵに収まるなら優先度待ち行列に対する次の並べ替えＰＤＵにおける最初のペイロード・ユニットとして送信される場合がある。残存セグメントが次の並べ替えＰＤＵに依然として収まらないなら、ＭＡＣ−ｅｈｓ  ＳＤＵの残存セグメントはさらに分割される。ＭＡＣ−ｅｈｓ  ＳＤＵのすべての部分が送信されるまで、これが繰り返される場合がある。並べ替えＰＤＵは、始めに１つ、そして終わりに１つの、最大で２つのセグメントを含むことになり、そしてゼロ、１、または複数の完全なＭＡＣ−ｅｈｓ  ＳＤＵを含む場合がある。
【００１６】
分割エンティティ３１６は、その分割決定をその時点のチャンネル状態、所与のＴＦＲＣ（Ｔｒａｎｓｐｏｒｔ  Ｆｏｒｍａｔ  ａｎｄ  Ｒｅｓｏｕｒｃｅ  Ｃｏｍｂｉｎａｔｉｏｎ：トランスポートフォーマット・リソースコンビネーション）選択、並べ替えＰＤＵの大きさ、および同様のものに基づく場合がある。分割は、論理チャンネル単位に基づく代わりに優先度待ち行列に基づき実行される。
【００１７】
優先度待ち行列多重化エンティティ３１８は、１つのＭＡＣ−ｅｈｓ  ＰＤＵにおける並べ替えＰＤＵの多重化を実行することができる。優先度待ち行列多重化エンティティ３１８は、ＴＦＲＣ選択に基づきＭＡＣ−ｅｈｓ  ＰＤＵを作成するために、１つまたは複数の優先度待ち行列３１６から１つまたは複数の並べ替えＰＤＵを選択する。
【００１８】
優先度待ち行列多重化エンティティ３１８を、ＨＡＲＱエンティティ３２０に組み入れる場合がある。図４において示されるように、スケジューリングおよび優先度取り扱いエンティティ３１０にＴＦＲＣ選択エンティティ３３０を付加する場合がある。
【００１９】
図５は、別の実施形態によるＵＴＲＡＮ側ＭＡＣ−ｅｈｓエンティティ５００を示す。この実施形態においては、分割が、論理チャンネル多重化後に優先度待ち行列に基づき実行される。ＭＡＣ−ｅｈｓエンティティ５００は、スケジューリングおよび優先度取り扱いエンティティ５１０、ＨＡＲＱエンティティ５２０、およびＴＦＲＣ選択エンティティ５３０を含む。スケジューリングおよび優先度取り扱いエンティティ５１０は、ＬＣＨ−ＩＤ多重化エンティティ５１２、分割エンティティ５１４、優先度待ち行列５１６、および優先度待ち行列多重化エンティティ５１８を含む。スケジューリングおよび優先度取り扱いエンティティ５１０は、データ・フローに対するＨＳ−ＤＳＣＨリソースをそれらの優先度クラスに従って管理する。ＨＡＲＱエンティティ５２０は、停止および待機のＨＡＲＱプロトコルの複数のインスタンスを支援（ＨＡＲＱ処理）するためのＨＡＲＱ機能性を取り扱う。ＴＦＲＣ選択エンティティ５３０は、ＴＦＲＣを選択する。
【００２０】
ＭＡＣ−ｅｈｓエンティティ５００は、上位層からＭＡＣ−ｅｈｓ  ＳＤＵを受信する。ＬＣＨ−ＩＤ多重化エンティティ５１２は、スケジューリング決定に基づき、および随意的にＴＦＲＣ選択エンティティ５３０によって選択されたＴＦＲＣに基づき、複数の論理チャンネルからのＭＡＣ−ｅｈｓ  ＳＤＵを多重化することができる。ＴＦＲＣ選択エンティティ５３０は、ＴＴＩ毎に送信されるべきＭＡＣ−ｅｈｓ  ＰＤＵの大きさを、スケジューリングおよび優先度取り扱いエンティティ５１０に表す。
【００２１】
ＭＡＣ−ｅｈｓ  ＳＤＵは、論理チャンネル多重化後に分割エンティティ５１４により分割される場合がある。ＭＡＣ−ｅｈｓ  ＳＤＵがＴＲＦＣ選択に基づく並べ替えＰＤＵに収まらないなら、分割エンティティ５１４はＭＡＣ−ｅｈｓ  ＳＤＵを分割する。並べ替えＰＤＵは、始めに１つ、そして終わりに１つの、最大で２つのセグメントを含み、そしてゼロ、１、または複数のＭＡＣ−ｅｈｓ  ＳＤＵを含む場合がある。
【００２２】
並べ替えＰＤＵは、優先度待ち行列５１６中に格納される。優先度待ち行列多重化エンティティ５１８は、１つのＭＡＣ−ｅｈｓ  ＰＤＵにおける並べ替えＰＤＵの多重化を実行することができる。優先度待ち行列多重化エンティティ５１８は、ＭＡＣ−ｅｈｓ  ＰＤＵを作成するために、優先度待ち行列５１６から１つまたは複数の並べ替えＰＤＵを選択する。
【００２３】
ＨＡＲＱエンティティ５２０に優先度待ち行列多重化エンティティ５１８を組み入れる場合がある。スケジューリングおよび優先度取り扱いエンティティ５１０にＴＦＲＣ選択エンティティ５３０を付加する場合がある。
【００２４】
図６は、別の実施形態によるＵＴＲＡＮ側ＭＡＣ−ｅｈｓエンティティ６００を示す。この実施形態においては、ＭＡＣ−ｅｈｓ  ＳＤＵが論理チャンネル単位にてバッファリングされ、そして論理チャンネル多重化後に優先度待ち行列に基づき分割が実行される。ＭＡＣ−ｅｈｓエンティティ６００は、スケジューリングおよび優先度取り扱いエンティティ６１０、ＨＡＲＱエンティティ６２０、およびＴＦＲＣ選択エンティティ６３０を含む。スケジューリングおよび優先度取り扱いエンティティ６１０は、待ち行列６１２、ＬＣＨ−ＩＤ多重化エンティティ６１４、分割エンティティ６１６、優先度取り扱いエンティティ６１８、および優先度待ち行列多重化エンティティ６１９を含む。スケジューリングおよび優先度取り扱いエンティティ６１０は、データ・フローに対するＨＳ−ＤＳＣＨリソースをそれらの優先度クラスに従って管理する。ＨＡＲＱエンティティ６２０は、停止および待機のＨＡＲＱプロトコルの複数のインスタンスを支援（ＨＡＲＱ処理）するためのＨＡＲＱ機能性を取り扱う。ＴＦＲＣ選択エンティティ６３０は、ＴＦＲＣを選択する。
【００２５】
ＭＡＣ−ｅｈｓエンティティ６００は、上位層からＭＡＣ−ｅｈｓ  ＳＤＵを受信する。ＭＡＣ−ｅｈｓ  ＳＤＵは、論理チャンネルに基づき待ち行列６１２中に格納される。あるいは待ち行列６１２が存在しない場合があり、そして種々の論理チャンネルからのデータが、上位層から対応するＬＣＨ−ＩＤ多重化エンティティ６１４に直接流れる場合がある。ＬＣＨ−ＩＤ多重化エンティティ６１４は、待ち行列６１２中に格納されるかまたは対応する論理チャンネルから受信されたＭＡＣ−ｅｈｓ  ＳＤＵを、スケジューリング決定、スケジューリング優先度、およびＴＦＲＣ選択エンティティ６３０によって選択されたとＴＦＲＣに基づき多重化する。ＴＦＲＣ選択および選択された並べ替えＰＤＵの大きさに基づき、分割エンティティ６１６によりＭＡＣ−ｅｈｓ  ＳＤＵを分割することができる。ＭＡＣ−ｅｈｓ  ＳＤＵが並べ替えＰＤＵに収まらないなら、分割エンティティ６１６は、ＭＡＣ−ｅｈｓ  ＳＤＵを分割する。例えば、並べ替えＰＤＵ中に含まれるべきＭＡＣ−ｅｈｓ  ＳＤＵが並べ替えＰＤＵの大きさより大きいか、またはペイロード・ユニットの合計が並べ替えＰＤＵの大きさを超えることをそれがもたらすなら、分割エンティティ３１６は、ＭＡＣ−ｅｈｓ  ＳＤＵを分割する。この場合には、並べ替えＰＤＵはＭＡＣ−ｅｈｓ  ＳＤＵの１つのセグメントのみを含む。分割後のＭＡＣ−ｅｈｓ  ＳＤＵの残存セグメントは、分割エンティティ６１６中に格納され、そして残存セグメントが次の並べ替えＰＤＵに収まるなら優先度待ち行列に対する次の並べ替えＰＤＵにおける最初のペイロード・ユニットとして送信される場合がある。残存セグメントが次の並べ替えＰＤＵに依然として収まらないなら、ＭＡＣ−ｅｈｓ  ＳＤＵの残存セグメントはさらに分割される。ＭＡＣ−ｅｈｓ  ＳＤＵのすべての部分が送信されるまで、これが繰り返される場合がある。並べ替えＰＤＵは、始めに１つ、そして終わりに１つの、最大で２つのセグメントを含み、そしてゼロ、１、または複数のＭＡＣ−ｅｈｓ  ＳＤＵを含む場合がある。
【００２６】
優先度取り扱いエンティティ６１８は、論理チャンネル（および／またはＭＡＣ−ｄフロー）の集合の間の相対的優先度を定義し、そして随意的にＴＳＮを割り当てる。優先度待ち行列多重化エンティティ６１９は、１つのＭＡＣ−ｅｈｓ  ＰＤＵにおける並べ替えＰＤＵの多重化を実行する。
【００２７】
優先度取り扱いエンティティ６１８およびその機能性は、図７において示されるように、優先度待ち行列多重化エンティティ６１９に取り入れられる場合がある（すなわち、優先度待ち行列多重化およびＴＳＮ設定エンティティ７０２）。分割エンティティ６１６またはＬＣＨ−ＩＤ多重化エンティティ６１４は、ＭＡＣ−ｅｈｓ  ＳＤＵのセグメントをバッファリングするように拡げられる場合がある。図８において示されるように、スケジューリングおよび優先度取り扱いエンティティ６１０にＴＦＲＣ選択エンティティ６３０を付加する場合がある。
【００２８】
図９は、別の実施形態によるＵＴＲＡＮ側ＭＡＣ−ｅｈｓエンティティ９００を示す。この実施形態においては、ＭＡＣ−ｅｈｓ  ＳＤＵは論理チャンネル単位にてバッファリングされる。あるいは待ち行列９１２が存在しない場合があり、そして種々の論理チャンネルからのデータが、上位層から対応する分割エンティティ９１４に直接流れる場合がある。分割は、バッファリング後にＴＴＩ毎に、論理チャンネル単位にて実行される。ＭＡＣ−ｅｈｓ  ＳＤＵは、優先度待ち行列単位というよりむしろ論理チャンネル単位にてバッファリングされる。ＭＡＣ−ｅｈｓエンティティ９００は、スケジューリングおよび優先度取り扱いエンティティ９１０、ＨＡＲＱエンティティ９２０、およびＴＦＲＣ選択エンティティ９３０を含む。スケジューリングおよび優先度取り扱いエンティティ９１０は、待ち行列９１２、分割エンティティ９１４、ＬＣＨ−ＩＤ多重化エンティティ９１６、優先度取り扱いエンティティ９１８、および優先度待ち行列多重化エンティティ９１９を含む。スケジューリングおよび優先度取り扱いエンティティ９１０は、データ・フローに対するＨＳ−ＤＳＣＨリソースをそれらの優先度クラスに従って管理する。ＨＡＲＱエンティティ９２０は、停止および待機のＨＡＲＱプロトコルの複数のインスタンスを支援（ＨＡＲＱ処理）するためのＨＡＲＱ機能性を取り扱う。ＴＦＲＣ選択エンティティ９３０はＴＦＲＣを選択する。
【００２９】
ＭＡＣ−ｅｈｓエンティティ９００は、上位層からＭＡＣ−ｅｈｓ  ＳＤＵを受信する。論理チャンネルからのＭＡＣ−ｅｈｓ  ＳＤＵ（またはＭＡＣ−ｄフロー）は、それぞれの論理チャンネルに対する待ち行列９１２中に格納されるか、あるいは、何れのバッファリングもなく上位層から直接配送される。次にＭＡＣ−ｅｈｓ  ＳＤＵを、分割エンティティ９１４により分割することができる。ＴＦＲＣ選択により選択された並べ替えＰＤＵにＭＡＣ−ｅｈｓ  ＳＤＵが収まらないなら、分割エンティティ９１４は、ＭＡＣ−ｅｈｓ  ＳＤＵを分割する。並べ替えＰＤＵは、始めに１つ、そして終わりに１つの、最大で２つのセグメントを含み、そしてゼロ、１、または複数のＭＡＣ−ｅｈｓ  ＳＤＵを含む場合がある。ＬＣＨ−ＩＤ多重化エンティティ９１６は次に、複数の論理チャンネル（すなわち複数のＭＡＣ−ｄフロー）からの並べ替えＰＤＵを、スケジューリング決定およびＴＦＲＣ選択エンティティ９３０によって選択されたＴＦＲＣに基づき、多重化する。
【００３０】
優先度取り扱いエンティティ９１８は、論理チャンネル（および／またはＭＡＣ−ｄフロー）の集合の間の相対的優先度を定義し、そして随意的にＴＳＮを割り当てる。あるいはＴＳＮ設定は、優先度待ち行列単位というよりむしろ論理チャンネル単位にて実行される場合がある。優先度待ち行列多重化エンティティ９１９は、１つのＭＡＣ−ｅｈｓ  ＰＤＵにおける並べ替えＰＤＵの多重化を実行する。優先度取り扱いエンティティおよびその機能性９１８を、優先度待ち行列多重化エンティティ９１９に取り入れる場合がある。あるいは、ＬＣＨ−ＩＤＭＵＸおよび優先度待ち行列多重化を１つのエンティティに結合する場合があり、そして論理チャンネル毎に、１つのレベルのみにつき多重化を実行する場合がある。
【００３１】
分割エンティティ９１４またはＬＣＨ−ＩＤ多重化エンティティ９１６は、ＭＡＣ−ｅｈｓ  ＳＤＵの未処理のセグメントをバッファリングするよう拡げる場合がある。スケジューリングおよび優先度取り扱いエンティティ９１０にＴＦＲＣ選択エンティティ９３０を付加する場合がある。
【００３２】
図１０は、一実施形態によるＷＴＲＵ側ＭＡＣ−ｅｈｓエンティティ１０００を示す。ＵＴＲＡＮにおいては、対応付けられた優先度待ち行列における論理チャンネルを多重化した後に分割を実行する場合があるため、これらの変更を反映するために、そして同一の順序にて再組み立ておよび分離を実行するために、従来のＷＴＲＵ側ＭＡＣ−ｅｈｓエンティティは変更される。分割が優先度待ち行列単位に基づき実行されるなら、再組み立ては並べ替え待ち行列分割情報に基づくべきである。
【００３３】
ＭＡＣ−ｅｈｓエンティティ１０００は、ＨＡＲＱエンティティ１００２、分解エンティティ１００４、並べ替え待ち行列分配エンティティ１００６、並べ替え待ち行列１００８、ＳＤＵ分解エンティティ１０１０、再組み立てエンティティ１０１２、およびＬＣＨ−ＩＤ分離化エンティティ１０１４を含む。送信されたＭＡＣ−ｅｈｓ  ＰＤＵは、ＨＡＲＱエンティティ１００２を介して受信される。分解エンティティ１００４は、ＭＡＣ−ｅｈｓ  ＰＤＵを並べ替えＰＤＵに分解する。並べ替え待ち行列分配エンティティ１００６は、論理チャンネル識別子に基づき、並べ替えＰＤＵを適切な並べ替え待ち行列１００８に分配する。並べ替えＰＤＵは、ＴＳＮに基づき、並べ替え待ち行列１００８にて並べ替えられる。ＳＤＵ分解エンティティ１０１０は、並べ替えられた並べ替えＰＤＵからＭＡＣ−ｅｈｓ  ＳＤＵおよび分割されたＭＡＣ−ｅｈｓ  ＳＤＵを分解し、そして再組み立てエンティティ１０１２にそれらを配送する。再組み立てエンティティ１０１２は、あらゆる並べ替えＰＤＵに対して分割されたＭＡＣ−ｅｈｓ  ＳＤＵを元のＭＡＣ−ｅｈｓ  ＳＤＵに再組み立てし、そして完成しかつ再組み立てされたＭＡＣ−ｅｈｓ  ＳＤＵをＬＣＨ−ＩＤ分離化エンティティ１０１４に転送する。ＬＣＨ−ＩＤ分離化エンティティ１０１４は、完全なＭＡＣ−ｅｈｓ  ＳＤＵを正しい論理チャンネル、またはＭＡＣ−ｄフローに経路制御する。随意的に、ＳＤＵ分解エンティティ１０１０および再組み立てエンティティ１０１２を１つのエンティティに結合する場合がある。
【００３４】
実施形態
【００３５】
１．ＭＡＣ−ｅｈｓ  ＰＤＵを生成する方法。
【００３６】
２．ＭＡＣ−ｅｈｓ  ＳＤＵ群を受信するステップを具備する、実施形態１の方法。
【００３７】
３．前記ＭＡＣ−ｅｈｓ  ＳＤＵ群を論理チャンネル識別子に基づき多重化するステップを具備する、実施形態２の方法。
【００３８】
４．前記多重化されたＭＡＣ−ｅｈｓ  ＳＤＵ群から並べ替えＰＤＵ群を生成させるステップを具備することであって、並べ替えＰＤＵが、ＭＡＣ−ｅｈｓ  ＳＤＵが並べ替えＰＤＵに収まらないなら優先度クラスに基づき分割される少なくとも１つのＭＡＣ−ｅｈｓ  ＳＤＵ、および／または少なくとも１つのＭＡＣ−ｅｈｓ  ＳＤＵセグメントを含む、実施形態３の方法。
【００３９】
５．ＭＡＣ−ｅｈｓ  ＰＤＵを生成させるステップを具備することであって、前記ＭＡＣ−ｅｈｓ  ＰＤＵが少なくとも１つの並べ替えＰＤＵを含む、実施形態４の方法。
【００４０】
６．前記多重化されたＭＡＣ−ｅｈｓ  ＳＤＵ群が、前記並べ替えＰＤＵ群を生成させる前に、対応する優先度待ち行列中に格納される、実施形態３〜５の何れか１つの方法。
【００４１】
７．前記並べ替えＰＤＵ群が前記多重化されたＭＡＣ−ｅｈｓ  ＳＤＵ群から生成され、かつ前記並べ替えＰＤＵ群が対応する優先度待ち行列中に格納される、実施形態３〜５の何れか１つの方法。
【００４２】
８．複数の論理チャンネル群からの前記ＭＡＣ−ｅｈｓ  ＳＤＵ群が、スケジューリング決定および選択されたＴＦＲＣに基づき多重化される、実施形態３〜７の何れか１つの方法。
【００４３】
９．前記ＭＡＣ−ｅｈｓ  ＳＤＵが、その時点のチャンネル状態、選択されたＴＦＲＣ、および並べ替えＰＤＵの大きさに基づき分割される、実施形態３〜８の何れか１つの方法。
【００４４】
１０．分割の後の前記ＭＡＣ−ｅｈｓ  ＳＤＵの残存部分が、分割エンティティ中に格納される、実施形態３〜９の何れか１つの方法。
【００４５】
１１．種々の優先度待ち行列からの並べ替えＰＤＵ群が、１つのＭＡＣ−ｅｈｓ  ＰＤＵにおいて多重化される、実施形態４〜１０の何れか１つの方法。
【００４６】
１２．ＭＡＣ−ｅｈｓ  ＳＤＵ群を受信するステップを具備する、実施形態１の方法。
【００４７】
１３．前記ＭＡＣ−ｅｈｓ  ＳＤＵ群をそれぞれの論理チャンネルに対して対応するバッファ中にバッファリングするステップを具備する、実施形態１２の方法。
【００４８】
１４．前記ＭＡＣ−ｅｈｓ  ＳＤＵ群を論理チャンネル識別子に基づき多重化するステップを具備する、実施形態１３の方法。
【００４９】
１５．前記多重化されたＭＡＣ−ｅｈｓ  ＳＤＵから並べ替えＰＤＵ群を生成させるステップを具備することであって、並べ替えＰＤＵが、前記ＭＡＣ−ｅｈｓ  ＳＤＵが並べ替えＰＤＵに収まらないなら分割される少なくとも１つのＭＡＣ−ｅｈｓ  ＳＤＵ、および／または少なくとも１つのＭＡＣ−ｅｈｓ  ＳＤＵセグメントを含む、実施形態１４の方法。
【００５０】
１６．前記並べ替えＰＤＵ群に関連付けられた優先度に基づき、前記並べ替えＰＤＵ群からＭＡＣ−ｅｈｓ  ＰＤＵを生成させるステップを具備することであって、前記ＭＡＣ−ｅｈｓ  ＰＤＵが少なくとも１つの並べ替えＰＤＵを含む、実施形態１５の方法。
【００５１】
１７．複数の論理チャンネル群からの前記ＭＡＣ−ｅｈｓ  ＳＤＵ群が、スケジューリング決定および選択されたＴＦＲＣに基づき多重化される、実施形態１４〜１６の何れか１つの方法。
【００５２】
１８．前記ＭＡＣ−ｅｈｓ  ＳＤＵが、その時点のチャンネル状態、選択されたＴＦＲＣ、および並べ替えＰＤＵの大きさに基づき分割される、実施形態１４〜１７の何れか１つの方法。
【００５３】
１９．分割の後の前記ＭＡＣ−ｅｈｓ  ＳＤＵの残存部分が、分割エンティティ中に格納される、実施形態１４〜１８の何れか１つの方法。
【００５４】
２０．種々の優先度待ち行列からの並べ替えＰＤＵ群が、１つのＭＡＣ−ｅｈｓ  ＰＤＵにおいて多重化される、実施形態１５〜１９の何れか１つの方法。
【００５５】
２１．ＭＡＣ−ｅｈｓ  ＳＤＵ群を受信するステップを具備する、実施形態１の方法。
【００５６】
２２．それぞれの論理チャンネルに対する対応するバッファ中に前記ＭＡＣ−ｅｈｓ  ＳＤＵ群をバッファリングするステップを具備する、実施形態２１の方法。
【００５７】
２３．前記バッファ中に格納された前記ＭＡＣ−ｅｈｓ  ＳＤＵ群から並べ替えＰＤＵ群を生成させるステップを具備することであって、前記ＭＡＣ−ｅｈｓ  ＳＤＵの大きさが前記並べ替えＰＤＵの残存の大きさより大きいならＭＡＣ−ｅｈｓ  ＳＤＵが分割される、実施形態２２の方法。
【００５８】
２４．前記並べ替えＰＤＵ群を論理チャンネル識別子に基づき多重化するステップを具備する、実施形態２３の方法。
【００５９】
２５．前記並べ替えＰＤＵ群に関連付けられた優先度に基づき、前記多重化された並べ替えＰＤＵ群からＭＡＣ−ｅｈｓ  ＰＤＵを生成させるステップを具備する、実施形態２４の方法。
【００６０】
２６．前記ＭＡＣ−ｅｈｓ  ＳＤＵが、その時点のチャンネル状態、選択されたＴＦＲＣ、および並べ替えＰＤＵの大きさに基づき分割される、実施形態２３〜２５の何れか１つの方法。
【００６１】
２７．分割の後の前記ＭＡＣ−ｅｈｓ  ＳＤＵの残存部分が、分割エンティティ中に格納される、実施形態２３〜２６の何れか１つの方法。
【００６２】
２８．種々の優先度待ち行列からの並べ替えＰＤＵ群が、１つのＭＡＣ−ｅｈｓ  ＰＤＵにおいて多重化される、実施形態２３〜２７の何れか１つの方法。
【００６３】
２９．ＭＡＣ−ｅｈｓ  ＰＤＵを処理するための方法。
【００６４】
３０．ＭＡＣ−ｅｈｓ  ＰＤＵを受信するステップを具備する、実施形態２９の方法。
【００６５】
３１．前記ＭＡＣ−ｅｈｓ  ＰＤＵを並べ替えＰＤＵ群に分解するステップを具備する、実施形態３０の方法。
【００６６】
３２．前記並べ替えＰＤＵ群を論理チャンネル識別子に基づき適切な並べ替え待ち行列に分配するステップを具備する、実施形態３１の方法。
【００６７】
３３．前記並べ替えＰＤＵ群をＴＳＮに基づき並べ替えるステップを具備する、実施形態３２の方法。
【００６８】
３４．前記並べ替えられた並べ替えＰＤＵ群から、ＭＡＣ−ｅｈｓ  ＳＤＵ群および分割されたＭＡＣ−ｅｈｓ  ＳＤＵ群を分解するステップを具備する、実施形態３３の方法。
【００６９】
３５．分割されたＭＡＣ−ｅｈｓ  ＳＤＵ群を元のＭＡＣ−ｅｈｓ  ＳＤＵに再組み立てするステップを具備する、実施形態３４の方法。
【００７０】
３６．完全なＭＡＣ−ｅｈｓ  ＳＤＵ群を上位層に転送するステップを具備する、実施形態３５の方法。
【００７１】
３７．ＭＡＣ−ｅｈｓ  ＰＤＵ群を生成させるためのノードＢ。
【００７２】
３８．論理チャンネル識別子に基づきＭＡＣ−ｅｈｓ  ＳＤＵ群を多重化するためのＬＣＨ−ＩＤ多重化エンティティ群を具備する、実施形態３７のノードＢ。
【００７３】
３９．優先度待ち行列群を具備する、実施形態３８のノードＢ。
【００７４】
４０．前記多重化されたＭＡＣ−ｅｈｓ  ＳＤＵ群から並べ替えＰＤＵ群を生成させるための分割エンティティ群を具備することであって、並べ替えＰＤＵが、ＭＡＣ−ｅｈｓ  ＳＤＵが並べ替えＰＤＵに収まらないなら、優先度クラスに基づき分割される少なくとも１つのＭＡＣ−ｅｈｓ  ＳＤＵ、および／または少なくとも１つのＭＡＣ−ｅｈｓ  ＳＤＵセグメントを含む、実施形態３９のノードＢ。
【００７５】
４１．ＭＡＣ−ｅｈｓ  ＰＤＵを生成させるための優先度待ち行列多重化エンティティを具備することであって、前記ＭＡＣ−ｅｈｓ  ＰＤＵが少なくとも１つの並べ替えＰＤＵを含む、実施形態４０のノードＢ。
【００７６】
４２．前記多重化されたＭＡＣ−ｅｈｓ  ＳＤＵ群が、前記並べ替えＰＤＵ群を生成させる前に、対応する優先度待ち行列中に格納される、実施形態３８〜４１の何れか１つのノードＢ。
【００７７】
４３．前記並べ替えＰＤＵ群が、前記多重化されたＭＡＣ−ｅｈｓ  ＳＤＵ群から生成され、かつ前記並べ替えＰＤＵ群が、対応する優先度待ち行列中に格納される、実施形態３８〜４１の何れか１つのノードＢ。
【００７８】
４４．複数の論理チャンネルからの前記ＭＡＣ−ｅｈｓ  ＳＤＵ群が、スケジューリング決定および選択されたＴＦＲＣに基づき多重化される、実施形態３８〜４３の何れか１つのノードＢ。
【００７９】
４５．前記ＭＡＣ−ｅｈｓ  ＳＤＵが、その時点のチャンネル状態、選択されたＴＦＲＣ、および並べ替えＰＤＵの大きさに基づき分割される、実施形態３８〜４４の何れか１つのノードＢ。
【００８０】
４６．分割の後の前記ＭＡＣ−ｅｈｓ  ＳＤＵの残存部分が、分割エンティティ中に格納される、実施形態３８〜４５の何れか１つのノードＢ。
【００８１】
４７．前記優先度待ち行列多重化エンティティが、１つのＭＡＣ−ｅｈｓ  ＰＤＵにおける種々の優先度待ち行列からの並べ替えＰＤＵ群を多重化する、実施形態４１〜４６の何れか１つのノードＢ。
【００８２】
４８．それぞれの論理チャンネルに対してＭＡＣ−ｅｈｓ  ＳＤＵ群をバッファリングするための待ち行列群を具備する、実施形態３７のノードＢ。
【００８３】
４９．前記ＭＡＣ−ｅｈｓ  ＳＤＵ群を論理チャンネル識別子に基づき多重化するためのＬＣＨ−ＩＤ多重化エンティティ群を具備する、実施形態４８のノードＢ。
【００８４】
５０．前記多重化されたＭＡＣ−ｅｈｓ  ＳＤＵ群から並べ替えＰＤＵ群を生成させるための分割エンティティ群を具備することであって、並べ替えＰＤＵが、前記ＭＡＣ−ｅｈｓ  ＳＤＵが並べ替えＰＤＵに収まらないなら分割される少なくとも１つのＭＡＣ−ｅｈｓ  ＳＤＵ、および／または少なくとも１つのＭＡＣ−ｅｈｓ  ＳＤＵセグメントを含む、実施形態４９のノードＢ。
【００８５】
５１．前記並べ替えＰＤＵ群に関連付けられた優先度に基づき、前記並べ替えＰＤＵ群からＭＡＣ−ｅｈｓ  ＰＤＵを生成させるための優先度待ち行列多重化エンティティを具備することであって、前記ＭＡＣ−ｅｈｓ  ＰＤＵが少なくとも１つの並べ替えＰＤＵを含む、実施形態５０のノードＢ。
【００８６】
５２．複数の論理チャンネルからの前記ＭＡＣ−ｅｈｓ  ＳＤＵ群が、スケジューリング決定および選択されたＴＦＲＣに基づき多重化される、実施形態４９〜５１の何れか１つのノードＢ。
【００８７】
５３．前記ＭＡＣ−ｅｈｓ  ＳＤＵが、その時点のチャンネル状態、選択されたＴＦＲＣ、および並べ替えＰＤＵの大きさに基づき分割される、実施形態４９〜５２の何れか１つのノードＢ。
【００８８】
５４．分割の後の前記ＭＡＣ−ｅｈｓ  ＳＤＵの残存部分が、分割エンティティ中に格納される、実施形態４９〜５３の何れか１つのノードＢ。
【００８９】
５５．前記優先度待ち行列多重化エンティティが、１つのＭＡＣ−ｅｈｓ  ＰＤＵにおいて種々の優先度待ち行列からの並べ替えＰＤＵ群を多重化する、実施形態５１〜５４の何れか１つのノードＢ。
【００９０】
５６．それぞれの論理チャンネルに対するＭＡＣ−ｅｈｓ  ＳＤＵ群をバッファリングするための待ち行列群を具備する、実施形態３７のノードＢ。
【００９１】
５７．前記バッファ中に格納された前記ＭＡＣ−ｅｈｓ  ＳＤＵ群から並べ替えＰＤＵ群を生成させるための分割エンティティ群を具備することであって、前記ＭＡＣ−ｅｈｓ  ＳＤＵの大きさが前記並べ替えＰＤＵの残余の大きさより大きいなら、ＭＡＣ−ｅｈｓ  ＳＤＵが分割される、実施形態５６のノードＢ。
【００９２】
５８．前記並べ替えＰＤＵ群をＬＣＨ−ＩＳ（Ｌｏｇｉｃａｌ  ＣＨａｎｎｅｌ  ＩＤｅｎｔｉｔｙ：論理チャンネル識別子）に基づき多重化するためのＬＣＨ−ＩＳ多重化エンティティ群を具備する、実施形態５７のノードＢ。
【００９３】
５９．前記並べ替えＰＤＵ群に関連付けられた優先度に基づき、前記多重化された並べ替えＰＤＵ群からＭＡＣ−ｅｈｓ  ＰＤＵを生成させるための優先度待ち行列多重化エンティティを具備する、実施形態５８のノードＢ。
【００９４】
６０．前記ＭＡＣ−ｅｈｓ  ＳＤＵが、その時点のチャンネル状態、選択されたＴＦＲＣ、および並べ替えＰＤＵの大きさに基づき分割される、実施形態５７〜５９の何れか１つのノードＢ。
【００９５】
６１．分割の後の前記ＭＡＣ−ｅｈｓ  ＳＤＵの残存部分が、分割エンティティ中に格納される、実施形態５７〜６０の何れか１つのノードＢ。
【００９６】
６２．前記優先度待ち行列多重化エンティティが、１つのＭＡＣ−ｅｈｓ  ＰＤＵにおいて種々の優先度待ち行列からの並べ替えＰＤＵ群を多重化する、実施形態５９〜６１の何れか１つのノードＢ。
【００９７】
６３．ＭＡＣ−ｅｈｓ  ＰＤＵを処理するためのＷＴＲＵ。
【００９８】
６４．ＭＡＣ−ｅｈｓ  ＰＤＵを受信するためのＨＡＲＱエンティティを具備する、実施形態６３のＷＴＲＵ。
【００９９】
６５．前記ＭＡＣ−ｅｈｓ  ＰＤＵを並べ替えＰＤＵ群に分解するための分解エンティティを具備する、実施形態６４のＷＴＲＵ。
【０１００】
６６．論理チャンネル識別子に基づき適切な並べ替え待ち行列に前記並べ替えＰＤＵ群を分配するための並べ替え待ち行列分配エンティティを具備する、実施形態６５のＷＴＲＵ。
【０１０１】
６７．ＴＳＮに基づき前記並べ替えＰＤＵ群を並べ替えるための並べ替え待ち行列群を具備する、実施形態６６のＷＴＲＵ。
【０１０２】
６８．前記並べ替えられた並べ替えＰＤＵ群からの、ＭＡＣ−ｅｈｓ  ＳＤＵ群および分割されたＭＡＣ−ｅｈｓ  ＳＤＵ群を分解するための分解エンティティ群を具備する、実施形態６７のＷＴＲＵ。
【０１０３】
６９．分割されたＭＡＣ−ｅｈｓ  ＳＤＵ群を元のＭＡＣ−ｅｈｓ  ＳＤＵに再組み立てするための再組み立てエンティティ群を具備する、実施形態６８のＷＴＲＵ。
【０１０４】
７０．完全なＭＡＣ−ｅｈｓ  ＳＤＵ群を上位層に経路制御するためのＬＣＨ−ＩＤ分離化エンティティ群を具備する、実施形態６９のＷＴＲＵ。
【０１０５】
本発明の特徴および要素が特定の組み合わせにて好適な実施形態において記述されているが、それぞれの特徴または要素は、好適な実施形態の他の特徴および要素なしで単独にて、または本発明の他の特徴および要素のあるなしにかかわらず様々な組み合わせにて使用可能である。本発明において提供される方法またはフロー図は、汎用目的のコンピューターまたは処理装置による実行のための、コンピューターにて読み取り可能な記憶装置媒体にて具現化されるコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【０１０６】
適切な処理装置の例としては、汎用目的処理装置、専用目的処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【０１０７】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー設備）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶表示）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、ならびに／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールなどのモジュールと連動して使用することができる。
【図１】
0005856122.tif 000002
【図２】
0005856122.tif 000003
【図３】
0005856122.tif 000004
【図４】
0005856122.tif 000005
【図５】
0005856122.tif 000006
【図６】
0005856122.tif 000007
【図７】
0005856122.tif 000008
【図８】
0005856122.tif 000009
【図９】
0005856122.tif 000010
【図１０】
0005856122.tif 000011